(57)【要約】【課題】少なくともＲＯＭ領域を有する、情報著作者の権利保護などのため不正コピー防止可能な光記録媒体とその不正コピー防止方法、更には該光記録媒体の基板成型用スタンパとその作製方法の提供。【解決手段】（１）少なくともＲＯＭ領域を有する光記録媒体において、該ＲＯＭ領域に存在する信号幅がｎＴのピット（ｎは所定の整数）のうち、ｎが同一のピットの幅Ｗと長さＬの積Ｗ×Ｌを、ＲＯＭ領域の一部で変化させたことにより、アシンメトリが変化し、再生の際にリードエラーが発生する光記録媒体。（２）ＲＯＭ領域のＷ×Ｌを変化させた部分が、通常の情報部分とは別の、媒体判別用の特別の情報部分であるか、（３）Ｗ×Ｌの変化、又はアシンメトリの変化が連続的又は不連続的である（１）記載の光記録媒体。【選択図】        図３
2004362667.tif 000002
【特許請求の範囲】
【請求項１】
少なくともＲＯＭ領域を有する光記録媒体において、該ＲＯＭ領域に存在する信号幅がｎＴのピット（ｎは所定の整数）のうち、ｎが同一のピットの幅Ｗと長さＬの積Ｗ×Ｌを、ＲＯＭ領域の一部で変化させたことにより、アシンメトリが変化し、再生の際にリードエラーが発生することを特徴とする光記録媒体。
【請求項２】
ＲＯＭ領域のＷ×Ｌを変化させた部分が、通常の情報部分とは別の、媒体判別用の特別の情報部分であることを特徴とする請求項１記載の光記録媒体。
【請求項３】
Ｗ×Ｌの変化が連続的であることを特徴とする請求項１又は２記載の光記録媒体。
【請求項４】
アシンメトリの変化が連続的であることを特徴とする請求項３記載の光記録媒体。
【請求項５】
Ｗ×Ｌの変化が不連続的であることを特徴とする請求項１又は２記載の光記録媒体。
【請求項６】
アシンメトリの変化が不連続的であることを特徴とする請求項５記載の光記録媒体。
【請求項７】
少なくとも変化したアシンメトリが５％より大きく１０％以下、又は、−１５％より小さく−２０％以上の範囲内においてリードエラーが発生することを特徴とする請求項１〜６の何れかに記載の光記録媒体。
【請求項８】
アシンメトリが変化した領域で、再生信号のジッタに差異を生じることを特徴とする請求項１〜７の何れかに記載の光記録媒体。
【請求項９】
アシンメトリが変化した領域で、再生信号のエラーレートに差異を生じることを特徴とする請求項１〜７の何れかに記載の光記録媒体。
【請求項１０】
リードエラーが発生する領域を再生することにより、光記録媒体がオリジナル品か複製品かを判別することができることを特徴とする請求項１〜９の何れかに記載の光記録媒体。
【請求項１１】
リードエラーが発生する領域を再生し、光記録媒体をオリジナル品と判別した場合に限り記録情報が有効となるように設定されていることを特徴とする請求項１０記載の光記録媒体。
【請求項１２】
請求項１〜１１の何れかに記載の光記録媒体を再生した際に、リードエラーが発生することにより、光記録媒体がオリジナル品か複製品かを判別することを特徴とする光記録媒体の不正コピー防止方法。
【請求項１３】
光記録媒体をオリジナル品と判別した場合に限り、ＲＯＭ領域に存在する情報が有効となるようにすることを特徴とする請求項１２記載の光記録媒体の不正コピー防止方法。
【請求項１４】
ＲＯＭ領域に存在する信号幅がｎＴのピット（ｎは所定の整数）のうち、ｎが同一のピットの幅Ｗと長さＬの積Ｗ×Ｌを、ＲＯＭ領域の一部で変化させた光記録媒体の基板成形用スタンパ。
【請求項１５】
Ｗ×Ｌの変化が連続的である請求項１４記載のスタンパ。
【請求項１６】
Ｗ×Ｌの変化が不連続的である請求項１４記載のスタンパ。
【請求項１７】
レーザー露光工程においてプリマスタリングにより用意した情報に従って露光条件を変更することによりＷ×Ｌを変化させることを特徴とする請求項１４〜１６の何れかに記載のスタンパの作製方法。
【請求項１８】
露光パワーを連続的に変化させることを特徴とする請求項１７記載のスタンパの作製方法。
【発明の詳細な説明】
【０００１】
【発明の属する技術分野】
本発明はＲＯＭ領域を有する不正コピー防止可能な光記録媒体とその不正コピー防止方法に関する。
【０００２】
【従来の技術】
昨今における情報量の増大とパーソナルコンピュータの急速な普及に伴い、高密度かつ高速で大量のデータの記録、再生が可能であるディスクドライブが商品化され普及してきている。このため情報の提供及び配布には、レーザービームの照射により再生を行うこのディスクドライブ装置に対応した光記録媒体であるＣＤ−ＲＯＭやＤＶＤ−ＲＯＭといった再生専用ディスクが汎用されている。そして、このような光記録媒体を利用することで光記録媒体中に含まれているアプリケーションソフトや音楽、画像（静止画、動画）、文書等の各種情報を一度に速く読み出し、ハードディスク等の他のドライブへ高速で転送することが可能となっている。また前記の再生専用ディスクの機能に加え、既存の情報を持つ光記録媒体中に記録可能な領域を持ち、前記記録可能領域に新たな情報を付加することが可能なハイブリッドディスクも普及し始めている。このディスクでは、例えば当該ディスクのＲＯＭ領域中に含まれているコンピューターソフトを利用して同一ディスクの記録可能領域に必要な情報を追記することで当該ディスクの使い勝手を向上することができ、また例えば前記コンピューターソフトの古いコンテンツを新しいバージョンにアップグレードさせることで、新たに余分なＲＯＭディスクを所持・使用する必要がなくなるなどの利点を持つ。
【０００３】
しかし上記のようなＲＯＭ領域を持つ再生専用ディスク及びハイブリッドディスクは、光記録媒体内がＲＡＭ領域のみで構成されている記録用ディスク及び記録用アプリケーションを用いることで容易に複製することができる。更に一度情報を複製した光記録媒体をソースとして使用し、別の新たな光記録媒体へバックアップを取る二次コピー、或いは同様の行為を繰り返す三次以降のコピーのように、不正コピーが次々と行われることがあり、これらの不正なコピー品が営利的に利用されることによって、著作者の権利が保護されず深刻な問題となっている。
また、コピー元の光記録媒体の原本性が損なわれるのみならず、光記録媒体中に重要情報や機密事項が含まれる場合の情報管理の安全性に問題が生じる。
この問題を解決するための手段として、特許文献１には、ＣＤ−ＲやＣＤ−ＲＷなどの光記録媒体の溝幅及び溝深さを通常の領域より小さくしたり、情報記録後に更にその上からエラー発生用記録マークを形成することが開示されている。これらの方法によれば、光記録媒体に記録した信号の一部に不定な再生エラーが発生するので、上記のような処理を施した光記録媒体をソースとして使用する複製、即ち二次コピーを行った場合、複製先の光記録媒体を、固定された訂正不能な再生エラーが入った状態とすることができる。しかし上記のような処理を施した光記録媒体に対する複製、即ち一次コピーは可能であるため、不正コピーを防止するには不十分である。
また、特許文献１の発明は、ＣＤ−ＲやＣＤ−ＲＷなどを対象とするものであって、本発明のような少なくともＲＯＭ領域を有する光記録媒体を対象とする発明とは異なり、従って、不正コピー防止のための具体的手段も異なる。
【０００４】
【特許文献１】
特開２００２−９２８８１号公報
【０００５】
【発明が解決しようとする課題】
本発明は、少なくともＲＯＭ領域を有する、情報著作者の権利保護などのため不正コピー防止可能な光記録媒体とその不正コピー防止方法、更には該光記録媒体の基板成型用スタンパとその作製方法の提供を目的とする。
【０００６】
【課題を解決するための手段】
上記目的を達成するために鋭意検討した結果、光記録媒体のＲＯＭ領域に存在するピットの幅Ｗと長さＬの積Ｗ×Ｌを変化させることにより記録部分の信号特性が変化することを見出し、本発明に至った。
即ち、上記課題は、次の１）〜１８）の発明によって解決される。
１）  少なくともＲＯＭ領域を有する光記録媒体において、該ＲＯＭ領域に存在する信号幅がｎＴのピット（ｎは所定の整数）のうち、ｎが同一のピットの幅Ｗと長さＬの積Ｗ×Ｌを、ＲＯＭ領域の一部で変化させたことにより、アシンメトリが変化し、再生の際にリードエラーが発生することを特徴とする光記録媒体。
２）  ＲＯＭ領域のＷ×Ｌを変化させた部分が、通常の情報部分とは別の、媒体判別用の特別の情報部分であることを特徴とする１）記載の光記録媒体。
３）  Ｗ×Ｌの変化が連続的であることを特徴とする１）又は２）記載の光記録媒体。
４）  アシンメトリの変化が連続的であることを特徴とする３）記載の光記録媒体。
５）  Ｗ×Ｌの変化が不連続的であることを特徴とする１）又は２）記載の光記録媒体。
６）  アシンメトリの変化が不連続的であることを特徴とする５）記載の光記録媒体。
７）  少なくとも変化したアシンメトリが５％より大きく１０％以下、又は、−１５％より小さく−２０％以上の範囲内においてリードエラーが発生することを特徴とする請求項１〜６の何れかに記載の光記録媒体。
８）  アシンメトリが変化した領域で、再生信号のジッタに差異を生じることを特徴とする１）〜７）の何れかに記載の光記録媒体。
９）  アシンメトリが変化した領域で、再生信号のエラーレートに差異を生じることを特徴とする１）〜７）の何れかに記載の光記録媒体。
１０）  リードエラーが発生する領域を再生することにより、光記録媒体がオリジナル品か複製品かを判別することができることを特徴とする１）〜９）の何れかに記載の光記録媒体。
１１）  リードエラーが発生する領域を再生し、光記録媒体をオリジナル品と判別した場合に限り記録情報が有効となるように設定されていることを特徴とする１０）記載の光記録媒体。
１２）  １）〜１１）の何れかに記載の光記録媒体を再生した際に、リードエラーが発生することにより、光記録媒体がオリジナル品か複製品かを判別することを特徴とする光記録媒体の不正コピー防止方法。
１３）  光記録媒体をオリジナル品と判別した場合に限り、ＲＯＭ領域に存在する情報が有効となるようにすることを特徴とする１２）記載の光記録媒体の不正コピー防止方法。
１４）  ＲＯＭ領域に存在する信号幅がｎＴのピット（ｎは所定の整数）のうち、ｎが同一のピットの幅Ｗと長さＬの積Ｗ×Ｌを、ＲＯＭ領域の一部で変化させた光記録媒体の基板成形用スタンパ。
１５）  Ｗ×Ｌの変化が連続的である１４）記載のスタンパ。
１６）  Ｗ×Ｌの変化が不連続的である１４）記載のスタンパ。
１７）  レーザー露光工程においてプリマスタリングにより用意した情報に従って露光条件を変更することによりＷ×Ｌを変化させることを特徴とする１４）〜１６）の何れかに記載のスタンパの作製方法。
１８）  露光パワーを連続的に変化させることを特徴とする１７）記載のスタンパの作製方法。
【０００７】
【発明の実施の形態】
以下、上記本発明について詳しく説明する。
本発明が適用可能な光記録媒体としては、ＲＯＭ領域のみからなるＲＯＭディスク、或いはＲＯＭ領域と追記可能な領域が同一の光記録媒体上に存在しているハイブリッドディスクが挙げられる。これらの光記録媒体は、まずガラス原盤へのフォトレジスト材料塗布、レーザー露光、現像、電鋳の各工程を経てスタンパを作製し、このスタンパを用いて一般的な方法で作製できる。ＣＤフォーマットの光記録媒体を例に取ると、ＣＤ−ＲＯＭディスクの場合には、ポリカーボネート基板上にＡｌなどからなる反射層とアクリル樹脂などからなる保護層を積層させることで所望の光記録媒体が得られる。また、ハイブリッドディスクの場合には、追記可能領域への１回の記録が可能なＣＤ−Ｒ型ではポリカーボネート基板上に有機色素記録層、Ａｌなどからなる反射層及びアクリル樹脂などからなる保護層を積層させ、追記可能領域での記録／消去が繰り返し可能なＣＤ−ＲＷ型ではポリカーボネート基板上に無機誘電体保護層、無機相変化記録層、無機誘電体保護層、Ａｌなどからなる反射層及びアクリル樹脂などからなる保護層を積層させることで所望の光記録媒体が得られる。
【０００８】
ＲＯＭ領域の記録情報は、アプリケーションソフトウェアや音楽、画像、各種データなどのコンテンツ（所望の記録情報）が一般的であり、通常、信号幅がｎＴ（ｎは所定の整数：ＣＤの場合ｎ＝３〜１１、Ｔはクロック時間：信号の変調に用いるクロックの周期に相当する時間）のピット（以下、ｎＴピットという）で形成されている。この部分は０信号及び１信号で構成される２値パルス信号が変調されており、所定周波数のクロックに基づいてランダムな長さを持つピットが様々なピット間隔で存在している。ＲＯＭ領域を有する光記録媒体では、一般的にＲＯＭ領域に存在するピットの面積の目安となる、ピットの幅Ｗと長さＬの積Ｗ×Ｌ（以下、Ｗ×Ｌという）が、ある同一のｎを持つピット同士について同一光記録媒体内でほぼ不変である。
【０００９】
これに対し本発明では、ＲＯＭ領域に存在するｎＴピットのＷ×Ｌを、ＲＯＭ領域の一部において変化させることにより、記録信号の特性を所望の値に設定したり、記録信号特性に連続的又は不連続的な変化を与えることが可能となる。
ＲＯＭ領域の一部のＷ×Ｌを変化させた基板は、基板成形用スタンパのスタンパ作製条件を変更することで容易に作製できる。スタンパは通常、ガラス原盤へのフォトレジスト材料塗布工程、レーザー露光工程、現像工程、電鋳工程により作製されるが、レーザー露光工程において、プリマスタリングにより用意した情報に従って露光条件を変更することで、ＲＯＭ領域に存在するｎが同一のｎＴピットのうち、所望の部分のｎＴピットのＷ×Ｌを変化させた光記録媒体を作製するためのスタンパを得ることができる。
【００１０】
Ｗ×Ｌを変化させる方法としては、ピットの幅Ｗを変化させる方法とピットの長さＬを変化させる方法の二通りがあり、ピットの幅Ｗを変化させるには、図１に示したように、レーザー露光行程中、ピットの露光パワーを変化させてガラス原盤上のフォトレジスト材料の溶融により原盤上に形成されるｎＴピットの幅を変化させる方法が簡便で好ましい。この方法によればｎＴピットの幅を連続的（アナログ的）に変化させることができる。なお、図１の横軸は露光パワー（ｍＷ）、縦軸は３Ｔピット幅（μｍ）である。またピットの長さＬを変化させるには、例えばピット露光中にピットのデューティを変化させればよい。ここで言うデューティとは、時定数に対するピットの露光時間の比である。図２にデューティ変化による３Ｔピット長の変化の一例を示した。この方法は、ピットの長さを不連続的（デジタル的）に変化させるのに適している。なお、図２の横軸はピットデューティ（％）、縦軸は３Ｔピット長（μｍ）である。
スタンパの露光工程で使用される露光機は、その制御機構上、露光パワーを連続的に変化させる方がデューティを連続的に変化させるよりも容易である。従って、Ｗ×Ｌを連続的に変化させる場合には、露光パワーを連続的に変化させることによりピットの幅Ｗを連続的に変化させる方法が好ましい。
【００１１】
以上のような方法を用いてＷ×Ｌを変化させることにより、記録信号のアシンメトリを変化させることができる。図３に、３ＴピットのＷ×Ｌとアシンメトリとの関係を示すが、Ｗ×Ｌとアシンメトリとは概ね比例関係にあることが分る。この特性を利用することで、Ｗ×Ｌの変化により、基板のＲＯＭ領域の一部において記録信号のアシンメトリが変化した光記録媒体を作製することができる。
また、Ｗ×ＬをＲＯＭ領域の一部で変化させることにより、アシンメトリだけでなく、その他の信号特性が該ＲＯＭ領域の一部で相違するか或いは変化した光記録媒体を得ることができる。即ちアシンメトリを変化させることにより、ＲＯＭ領域の一部でジッタ及びエラーレートに差異を持たせるか或いは変化させることが可能となる。変化はＷ×Ｌを大きくすること、或いは小さくすることの両方で行うことが可能であるが、Ｗを大きくするには限界があること及び作り易さの点から、ピットの面積を小さくすること、即ちＷ×Ｌを小さくする方がより容易に変化を持たせることができる。これによりアシンメトリを変化させて（図３参照）記録信号のジッタを悪化させ、訂正可能なエラーをより多く発生させることができる。
以上のようにすれば、ＲＯＭ領域の一部の記録信号を差別化することができ、光記録媒体の不正なコピーを防止する手段として使用することが可能となる。
なお、上記ＲＯＭ領域の一部としては通常の記録情報部分（例えば前記所望の記録情報部分）でもよいが、必要な記録情報を再生装置で確実に抽出することが重要であるため、所望の記録情報部分とは別に、媒体判別用の特別の情報部分を設け、この特別の情報部分のＷ×Ｌを変化させることが望ましい。
【００１２】
リードエラーの発生するアシンメトリは再生装置によって異なるが、アシンメトリの規格値が−１５〜５％であることから、前記変化させた部分のＷ×Ｌは、アシンメトリが５％より大きく１０％以下、又は、−１５％より小さく−２０％以上の範囲内となる部分を含むように設定すると、ジッタ及びエラーレートの悪化がより顕著となるため訂正可能なエラーレートが上昇し、何れの再生装置でもリードエラーが発生し易くなる。−１５〜５％の範囲ではエラーレートが良好なため、不正コピーの防止手段として利用することが難しい。また、１０％より大きいか、或いは−２０％より小さいと、前記アシンメトリ範囲の再生中に、再生装置の再生動作自体に不具合が発生する可能性がある。また変化させている範囲が所望の記録情報部分である場合、当該光記録媒体を再生したときに訂正不可能なエラーが発生することがあり、必要な情報を提供する光記録媒体としての機能を果さなくなる場合があるので好ましくない。
図４に示すようなＣＤ、ＤＶＤドライブ等の記録／再生装置を用いてＷ×Ｌが変化した領域を再生した場合、この領域は他の領域よりアシンメトリが変化しており、ジッタ及び訂正可能なエラーレートが大きくなることで不定な情報が抽出されるため、リードエラーが発生する。
【００１３】
一方、上記のような不正コピー防止機能を有するオリジナル光記録媒体を複製元とし、図４に示すような記録／再生装置を用いてＣＤ−ＲやＣＤ−ＲＷなどの記録用光記録媒体に複製する場合、複製先の記録装置では記録時のパワーが一定であるため、複製先の光記録媒体に記録された信号領域の信号特性は総じて良好である。よって複製元の光記録媒体に含まれる情報は複製できても記録信号特性までは複製されない。即ち複製元の光記録媒体中のＷ×Ｌを変化させたことにより再生時にリードエラーが発生する領域に該当する複製先の光記録媒体中の領域は信号特性が良好で、これを再生装置で再生した場合には固定の情報が抽出されるため、リードエラーは発生しない。
上記のような複製元と複製先の光記録媒体を再生装置で再生させ、その結果のリードエラーの有無を利用することで、所望の記録情報を含む光記録媒体がオリジナル品か複製品かを判別することができる。即ち、光記録媒体中のＲＯＭ領域中のＷ×Ｌを変化させた領域をディスク判別用領域として利用することができ、記録情報を再生した際にリードエラーが発生すれば、光記録媒体はオリジナル品と判定することができる。一方、複製先の光記録媒体では信号特性が一定かつ良好であり、複製元光記録媒体でピットのＷ×Ｌを変化させた部分に該当する信号領域の信号特性も良好であってリードエラーが発生しないことから複製品と判定できる。
【００１４】
また、光記録媒体に、上記判別操作即ち再生操作を複数回行うことによりオリジナル品か複製品かを判別する機能を持たせれば、不正コピーを防止するのに効果的である。設定する再生操作の回数は任意でよいが、所望の記録情報の立ち上げに長い時間を要することのないよう、３〜１０回程度にするのが好適である。
また、上記判別機能により、光記録媒体がオリジナル品と判別された場合に限り、所望の記録情報が有効となる機能を持たせれば、不正コピー品の流用を防止するのに効果的である。特に、媒体判別用の特別の記録情報を再生して判別した結果により、同じＲＯＭ領域中に含まれる所望の記録情報が動作するかしないかが選択されるという設定にすることが望ましい。媒体判別用の特別の記録情報を構成するピットは、Ｗ×Ｌを他の記録情報領域と変えるが、情報の中身としてはディスク固有のＩＤ情報やランダムな数列情報などが挙げられる。
更に光記録媒体が追記可能領域を持つハイブリッドディスクである場合、記録可能領域に個人情報や記録装置に関する情報などのＩＤ情報を付加することにより、当該光記録媒体の固有性を更に向上させることができるのみならず、所望の情報を動作させるためのキーとして使用することができ、著作者の権利を保護するのにより効果がある。
【００１５】
【実施例】
以下、実施例及び比較例により本発明を更に具体的に説明するが、本発明はこれらの実施例により限定されるものではない。
【００１６】
実施例１〜５、比較例１〜４
１．２ｍｍ厚のポリカーボネート基板上の半径位置２５ｍｍから３２ｍｍまでのＲＯＭ領域中に、所望の画像データＡ、０から９までの数字で構成された数列データを持つディスク判別用情報Ｂ、及び該ディスク判別用情報Ｂを複数回再生し光記録媒体がオリジナル品か複製品かを判別するためのアプリケーションＣの各情報ファイルをＣＤフォーマットに従うウォブルピットに変換させて配置し、直径３２ｍｍ以降の記録可能領域には深さ１０３０Åの案内溝を有するハイブリッドディスク基板を成形した。画像データＡは、ディスク判別用情報ＢがアプリケーションＣによってオリジナル品と認識した後に動作可能とする仕組みとした。ＲＯＭ領域のピット深さは２９８０Åとした。
スタンパ作製時のレーザー露光工程において、表１に記載の通り、ディスク判別用情報Ｂに該当する情報領域のｎＴピットのデューティを１５％から４５％まで設定し、各実施例及び比較例毎にピット長を不連続的に変化させることにより、３ＴピットのＷ×Ｌがそれぞれの光記録媒体で異なるように露光した。この時、画像データＡに該当する情報領域のｎＴピットデューティは３５％、露光パワーは３．７ｍＷに固定した。
この基板上に、スピンコート法で膜厚１３０ｎｍのフタロシアニン系色素記録層、スパッタリング法で膜厚約１１０ｎｍのＡｇ反射層を順次積層した。更に、紫外線硬化樹脂をスピンコートしてオーバーコート層、ハードコート層を形成した。
【表１】
2004362667.tif 000003
【００１７】
以上の方法で得た実施例１〜５及び比較例１〜４の光記録媒体は、ディスク判別用情報Ｂに該当する記録領域中の３ＴピットのＷ×Ｌを不連続に変えることで、表１に記載の通りアシンメトリがそれぞれ異なり、かつ記録信号のジッタ値及びエラーレートに差異を与えることができた。
また、これらのハイブリッドディスクである光記録媒体を複製元として通常のＣＤ−Ｒに複製し、各オリジナル媒体及び複製媒体に含まれるアプリケーションＣを用いて再生装置にてディスク判別用情報Ｂを３回再生した結果、実施例１〜５のようにディスクディスク判別用情報Ｂの記録信号のアシンメトリが５％〜１０％及び−１５％〜−２０％の領域に含まれる時、オリジナル媒体では画像データＡが再生可能で、複製媒体では再生不可であった。これは表２に示すように、光記録媒体中のディスク判別情報Ｂを３回再生した時、抽出された情報がオリジナル媒体ではそれぞれ異なる数列データであったため不定な情報となり、複製媒体では３回の再生の全てにおいて同一の数列データとなったため、それぞれオリジナル品又は複製品と正しく判定されたことによる。
比較例１及び４は、オリジナル媒体中のディスク判別情報Ｂのアシンメトリがそれぞれ−１５％以上５％以下であり、他の記録信号特性も実施例と比較して良好であったため、オリジナル媒体中のディスク判別情報Ｂを３回再生しても、複製媒体と同様に３回とも同一の数列データが抽出された。このためアプリケーションＣによりオリジナル品も複製品と判定されたことで画像データＡが無効となった。
また比較例２及び３は、オリジナル媒体中のディスク判別情報Ｂを構成する記録信号中にＣＵエラー（訂正不可能なエラー）が発生したためデータ抽出が不可となり、ディスク判別情報Ｂの判別と画像データＡの動作及び複製までは至らなかった。
【表２】
2004362667.tif 000004
【００１８】
実施例６〜７、比較例５〜６
１．２ｍｍ厚のポリカーボネート基板上の半径位置２５ｍｍから３２ｍｍまでのＲＯＭ領域中に、所望の画像データＡ、１分間の長さを持つランダムデータで構成されるディスク判別用の情報Ｂ、及びディスク判別用情報Ｂを再生し光記録媒体がオリジナル品か複製品かを判別するためのアプリケーションＣの各情報ファイルをＣＤフォーマットに従うウォブルピットに変換させて配置し、直径３２ｍｍ以降の記録可能領域には深さ１０３０Åの案内溝を有するハイブリッドディスク基板を成形した。画像データＡは、ディスク判別用情報ＢがアプリケーションＣによってオリジナル品と認識した後に動作可能とする仕組みとした。ＲＯＭ領域のピット深さは２９８０Åとした。
スタンパ作製時のレーザー露光工程において、表３に示す通りデューティを３３％（実施例６）及び４７％（実施例７）に設定し、更に１分間のディスク判別用情報Ｂに該当する領域を露光する時に、この領域における露光パワーを２．５〜４．３ｍＷの間で、毎秒０．０３ｍＷの速さで連続的に変化させた。即ち、実施例４では４．３ｍＷから２．５ｍＷへの減少、実施例５では逆に２．５ｍＷから４．３ｍＷへの増加を露光機上の操作で行い、両者とも各ピットの幅を連続的に変化させることで、３ＴピットのＷ×Ｌがそれぞれの光記録媒体で連続的に変化するように露光した。
この時、画像データＡ及び媒体判別用アプリケーションＣに該当する情報領域のｎＴピットデューティは４０％、露光パワーは３．４ｍＷに固定した。
この基板上に、スピンコート法で膜厚１３０ｎｍのフタロシアニン系色素記録層、スパッタリング法で膜厚約１１０ｎｍのＡｇ反射層を順次積層した。更に、紫外線硬化樹脂をスピンコートしてオーバーコート層、ハードコート層を形成した。
【００１９】
以上の方法で得た実施例６及び７のハイブリッドディスクは、ディスク判別用情報Ｂに該当する記録領域中の３ＴピットのＷ×Ｌを連続的に変化させることにより、表３に記載の通りアシンメトリをディスク判別用情報Ｂ内で連続的に変化させることができ、記録信号のジッタ値も連続的に変化させることができた。また、これらのハイブリッドディスクを、媒体判別用アプリケーションＣを用いて各種再生装置で再生させたところ、画像データＡが再生可能となった。これはディスク判別用情報Ｂに該当する記録領域の再生中にリードエラーが発生し、これにより媒体判別用アプリケーションＣが当該光記録媒体をオリジナル品と判定し、画像データＡが有効となったためである。また、このディスク判別用情報Ｂに該当する記録領域におけるリードエラーの発生は、再生装置の読取能力に拘わらず、どの再生装置でも発生した。即ち、Ｗ×Ｌを連続的に変化させた領域ではどの再生装置でもリードエラーを発生させることができた。
次に比較のため、この実施例６及び７のハイブリッドディスクを複製元として通常のＣＤ−Ｒに複製した（比較例５、６）。そして各複製媒体に含まれるアプリケーションＣを用いて各種再生装置にてディスク判別用情報Ｂを再生した結果、画像データＡが再生不可となった。これは表３に示すように、各光記録媒体中のディスク判別情報Ｂに該当する記録信号のアシンメトリが、−５％及び−７％近傍で一定であり、ジッタ等の他の記録信号特性も良好な状態で一定であったため、媒体判別用アプリケーションＣにより複製品と判定されたことによる。
【表３】
2004362667.tif 000005
【００２０】
【発明の効果】
本発明によれば、ＲＯＭ領域にコンピューターアプリケーションや音楽、画像（静止画、動画）などの各種情報を有する光記録媒体の不正コピーを防止することができる。
【図面の簡単な説明】
【図１】本発明の光記録媒体のＲＯＭ領域におけるピットの幅Ｗと、スタンパ作製時のレーザー露光行程中の露光パワーとの関係の一例を示す図である。
【図２】本発明の光記録媒体のＲＯＭ領域におけるピットの長さＬと、ピットデューティとの関係の一例を示す図である。
【図３】本発明の光記録媒体のＲＯＭ領域におけるピットの幅Ｗと長さＬの積Ｗ×Ｌとアシンメトリとの関係の一例を示す図である。
【図４】記録／再生装置の形態の一例を示す図である。
【符号の説明】
１  光記録媒体
２  スピンドルモーターからなる駆動部
３  記録／再生用ピックアップ
４  レーザー駆動回路
５  記録／再生パワー設定回路
【図１】
2004362667.tif 000006
【図２】
2004362667.tif 000007
【図３】
2004362667.tif 000008
【図４】
2004362667.tif 000009